(57)【特許請求の範囲】
【請求項１】
断熱筐体として形成されるとともに前面が開口した直方体状の本体キャビネットと、本体キャビネットの内部に画成された商品収容庫内を左右方向に複数の商品収納室に区画する断熱仕切板と、前記商品収納室に設置された商品収納ラックと、前記商品収納室の側壁に配設された係止部材と、この係止部材にフック部が係合した状態で商品収納ラックの前面側の最下端部に設けたラック固定金具に対向して商品収納室の前面側に位置し、前記ラック固定金具とねじ締結される支持梁とを備えた自動販売機において、前記断熱仕切板は縦長矩形状に形成された硬質ウレタンフォームの断熱パネルからなり、当該断熱仕切板の前縁部に嵌め込まれる装着部を有する硬質の合成樹脂からなる補強部材を備え、前記係止部材は前記支持梁のフック部が挿通される貫通孔を形成するブリッジ状の係合部を備え、前記補強部材の装着部に前記係止部材を挟持して当該係止部材を補強部材の装着部に固定する挟持部を形成してなることを特徴とする自動販売機。
【請求項２】
請求項１に記載の自動販売機において、補強部材は硬質の装着部の前面側に復元力を有する軟質の合成樹脂からなるパッキンを備えたガスケットであることを特徴とする自動販売機。
【発明の詳細な説明】
【技術分野】
【０００１】
本発明は、断熱筐体として形成されるとともに前面が開口した直方体状の本体キャビネットと、本体キャビネットの内部に画成された商品収容庫内に左右方向に複数並設された商品収納ラックとを備えた自動販売機に関する。
【背景技術】
【０００２】
従来、例えば缶入り飲料，ペットボトル入り飲料等の商品を販売する自動販売機としては、前面が開口した直方体状の本体キャビネットの内部に断熱構造の商品収容庫が画成され、かかる商品収容庫内に左右方向に複数の商品収納ラックが並設され、前記本体キャビネットの前面に開閉自在な片開き式の外扉が取り付けられ、外扉の背面側に商品収容庫の前面開口を閉塞する断熱構造の内扉が取り付けられている。この種の従来の自動販売機を図４に示し、図４は従来の自動販売機の概略構成を示す扉開放状態の斜視図である。
【０００３】
図において、１は前面が開口した直方体状の本体キャビネットである。前記本体キャビネット１は鋼板製の外箱の内側、すなわち、上壁，左右側壁，背壁および底壁１ａにウレタンフォームからなる断熱パネルを配設して断熱筐体として構成されている。前記本体キャビネット１の断熱パネルで囲まれた商品収容庫内は断熱仕切板２により左右方向に複数の商品収納室３，４，５に区画され、当該商品収納室３，４，５には商品収納ラック６（この例ではサーペンタイン式商品収納ラック）がそれぞれ収設されている。
【０００４】
前記商品収納ラック６は、図５に示すように左右のラック側板６１，６１間に湾曲したレールセグメント６２を上下方向に連接したセグメント列を前後方向に半ピッチずらして対向配置して形成した蛇行状の商品通路（商品コラム）を前後方向に多重に画成してなり、最前列の商品通路より後方に位置する商品通路の上端（入口）とラック上部前面の商品投入口と連繋する商品ローディング用のトップトレー６３と、各商品通路の下端に配したベンド機構、およびベンド機構に対向配置された通路規制板６４などから構成されている。また、ラック側板６１，６１の上端にはフック状のラック側取付金具６５が設けられ、このラック側取付金具６５を商品収容庫の天井面に設けたフック状の本体側取付金具（不図示）に係合させることにより商品収納ラック６が商品収容庫内に架設される。なお、商品収納ラック６の前面側の最下端部に左右のラック側板６１，６１に跨って横架されたラック固定金具６６は商品収納ラック６の揺れ止めのために後述する支持梁と締結されるものである。
【０００５】
図４に戻り、前記商品収納ラック６の下部には前下がりに傾斜するシュート７が配置されている。このシュート７の背後であって、各商品収納室３，４，５の底部には蒸発器やヒータからなる冷却／加熱ユニット（不図示）が配設されている。本体キャビネット１における底壁１ａの下方の機械室１ｂには圧縮機や凝縮器などからなるコンデンシングユニット（不図示）が設置され、コンデンシングユニットの圧縮機，凝縮器と商品収納室内に配設された蒸発器との間は不図示の冷媒配管により接続されている。
【０００６】
前記本体キャビネット１の前面に開閉自在に装着された外扉８の前面には、良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されている。また、前記外扉８の前面には硬貨投入口，紙幣挿入口，返却レバー、シリンダー錠付きのハンドルロック装置、硬貨返却口、商品取出口８ａなどが組付けられている。前記外扉８の背面側には本体キャビネット１における商品収容庫の前面を閉塞する内扉９が開閉自在に取付けられている。この例では内扉９が上下に分割されており、下部内扉には各商品収納室３，４，５の下部に配置されるとともに前記商品収納ラック６から払い出された商品を送出するシュート７と対峙する位置に搬出扉９ａを有する商品搬出口が設けられている。前記搬出扉９ａは上端を軸支されて常時商品搬出口を閉塞して冷気若しくは暖気の流出を防止しており、シュート７を介して送出される商品により押し開かれるように形成されている。
【０００７】
前述したように、商品収納ラック６はラック側取付金具６５（図５参照）を商品収容庫の天井面に設けたフック状の本体側取付金具（不図示）に係合させることにより商品収容庫内に架設されているので、商品収納ラック６に外力（ラック下方から手を差し入れてベンド機構に対向配置された通路規制板６４の設定位置を変更する場合に加えられる外力）や振動が加えられるとその下端側が左右若しくは前後方向に振れ動くことから不測の事態を惹起する。このため、商品収納ラック６の下端の前面に設けたラック固定金具６６を、本体キャビネット１（商品収納室）の左右の側壁の前面側に横架した支持梁１０にねじ止め固定するように構成されている。
【０００８】
前記支持梁１０を本体キャビネット１（商品収納室）の左右の側壁の前面側に横架する構成を図６に示す。図６は、図４に示した断熱仕切板２により区画された商品収納室３，４，５のうちの中央の商品収納室４の場合を示している。図において、支持梁１０は平板を打ち抜いた後に適宜折り曲げて形成した鋼板製になり、ラック固定金具６６に対向する基部１０１、および基部１０１の左右両端のフック部１０２，１０２からなる。一方、商品収納室４の左右側壁を形成する断熱仕切板２，２にはＩ字状の係止部材１１，１１が配設されている。このＩ字状の係止部材１１，１１は上下の太幅部に対して中央の細幅部が断熱仕切板２，２の板面から浮き上がり、前記支持梁１０のフック部１０２，１０２の先端が通過可能な貫通孔（不図示）として形成されている。この係止部材１１，１１は上下の太幅部を断熱仕切板２，２にねじ止め固定されている。前記支持梁１０の組付けはフック部１０２，１０２を係止部材１１，１１の貫通孔に挿通してそのフック部１０２，１０２先端を貫通させたうえで支持梁１０を上方へスライドさせる。これによりフック部１０２，１０２が係止部材１１，１１と係合し、この状態で支持梁１０の基部１０１とラック固定金具６６とをねじＳにより締結する（例えば特許文献１の図１０、図１１参照）。
【先行技術文献】
【特許文献】
【０００９】
【特許文献１】特開２００５−７８２１８号公報
【発明の概要】
【発明が解決しようとする課題】
【００１０】
ところで、前記係止部材１１，１１をねじ止めするには受け側に強度を必要とすることから、商品収納室の側壁が断熱仕切板２である場合に断熱仕切板２の補強枠を利用することが考えられる。すなわち、昨今では断熱仕切板２の基材として所定の厚みを有するとともに縦長矩形状に形成された硬質ウレタンフォームの断熱パネルが用いられ、この断熱パネルの外周縁（前後端縁および上下端縁）に金属製の補強枠（前後枠部および上下枠部）が取付けられている。この補強枠は断面コ字状に形成されており、断熱パネルの外周縁を覆うように嵌め込んで取付けられている。そこで、前記補強枠（前枠部）を利用し、この補強枠（前枠部）に係止部材１１，１１をねじ止めすることが考えられる。しかしながら、補強枠（前枠部）が金属製であり、かつ、隣接する商品収納室間に跨って配設されることから隣接する商品収納室間で熱リークが発生する。このため、冷却若しくは加熱性能の低下を惹起し、エネルギーロスが発生する。この場合、補強枠を熱伝導の少ない部材により構成すれば熱リークを抑えることは可能となるが、支持梁１０を係止する係止部材１１，１１をねじ固定するためには補強枠の肉厚を厚くせねばならず、この場合には補強枠や係止部材が商品収納室内への突出量が大きくなるので商品収納ラック６を交換する際の邪魔になるという問題を有する。
【００１１】
そこで、本発明は上記の点に鑑みなされたものであり、その目的は前記課題を解決し、簡単な構造により断熱仕切板の補強を行うことができるとともに支持梁を係止する係止部材を固着することが可能な自動販売機を提供することにある。
【課題を解決するための手段】
【００１２】
上記目的を達成するために請求項１に係る発明は、断熱筐体として形成されるとともに前面が開口した直方体状の本体キャビネットと、本体キャビネットの内部に画成された商品収容庫内を左右方向に複数の商品収納室に区画する断熱仕切板と、前記商品収納室に設置された商品収納ラックと、前記商品収納室の側壁に配設された係止部材と、この係止部材にフック部が係合した状態で商品収納ラックの前面側の最下端部に設けたラック固定金具に対向して商品収納室の前面側に位置し、前記ラック固定金具とねじ締結される支持梁とを備えた自動販売機において、前記断熱仕切板は縦長矩形状に形成された硬質ウレタンフォームの断熱パネルからなり、当該断熱仕切板の前縁部に嵌め込まれる装着部を有する硬質の合成樹脂からなる補強部材を備え、前記係止部材は前記支持梁のフック部が挿通される貫通孔を形成するブリッジ状の係合部を備え、前記補強部材の装着部に前記係止部材を挟持して当該係止部材を補強部材の装着部に固定する挟持部を形成してなることを特徴とする。
【００１３】
また、請求項２に係る発明は、請求項１に記載の自動販売機において、補強部材は硬質の装着部の前面側に復元力を有する軟質の合成樹脂からなるパッキンを備えたガスケットであることを特徴とする。
【発明の効果】
【００１４】
本発明の請求項１に係る自動販売機によれば、断熱筐体として形成されるとともに前面が開口した直方体状の本体キャビネットと、本体キャビネットの内部に画成された商品収容庫内を左右方向に複数の商品収納室に区画する断熱仕切板と、前記商品収納室に設置された商品収納ラックと、前記商品収納室の側壁に配設された係止部材と、この係止部材にフック部が係合した状態で商品収納ラックの前面側の最下端部に設けたラック固定金具に対向して商品収納室の前面側に位置し、前記ラック固定金具とねじ締結される支持梁とを備えた自動販売機において、前記断熱仕切板は縦長矩形状に形成された硬質ウレタンフォームの断熱パネルからなり、当該断熱仕切板の前縁部に嵌め込まれる装着部を有する硬質の合成樹脂からなる補強部材を備え、前記係止部材は前記支持梁のフック部が挿通される貫通孔を形成するブリッジ状の係合部を備え、前記補強部材の装着部に前記係止部材を挟持して当該係止部材を補強部材の装着部に固定する挟持部を形成してなることにより、補強部材は係止部材をねじ固定するのではなく挟持するものであることから肉厚を厚くする必要がなく、さらに補強部材に重畳することなく取付けることが可能であるので、係止部材の商品収納室内への突出量を従前のものと同等に抑えることができ、また、ねじ止め作業をなくすことにより係止部材の取付け作業性が向上し、さらに補強部材が合成樹脂であるので隣接する商品収納室間の熱リークを押えることができるという効果を有する。
【００１５】
また、本発明の請求項２に係る発明は、請求項１に記載の自動販売機において、補強部材は硬質の装着部の前面側に復元力を有する軟質の合成樹脂からなるパッキンを備えたガスケットであることにより、ガスケットは断熱仕切板の補強機能および係止部材を固着する機能を有するという効果を有する。
【図面の簡単な説明】
【００１６】
【図１】本発明の実施の形態である自動販売機における商品収納ラックの振れ止め構成を示す要部斜視図である。
【図２】図１の自動販売機の断熱仕切板および係止部材の構成を示し、（ａ）は断熱仕切板を示す斜視図、（ｂ）は断熱仕切板の要部平面断面図、（ｃ）は係止部材の斜視図である。
【図３】図２の係止部材の取付方法を説明するものであり、（ａ）は取付け前の状態を示す側面図、（ｂ）は取付け状態を示す側面図である。
【図４】本発明の実施対象である自動販売機の概略構成を示す扉開放状態の斜視図である。
【図５】従来の自動販売機の商品収納ラックを示す斜視図である。
【図６】従来の自動販売機の商品収納ラックの振れ止め構成を示す要部斜視図である。
【発明を実施するための形態】
【００１７】
以下、本発明における実施の形態である自動販売機を図面に基づいて説明する。なお、本発明の実施の形態の自動販売機の概略構成は図４に示したものと同一であるので、適宜図４を参照しつつ説明を行う。
【００１８】
図１は、図４におけるＡ部、すなわち、断熱仕切板２により区画された商品収納室３，４，５のうちの中央の商品収納室４の要部を拡大して示している。図において、１０で再び支持梁を示し、平板を打ち抜いた後に適宜折り曲げて形成した鋼板製になり、ラック固定金具６６（図５参照）に対向する基部１０１、および基部１０１の左右両端のフック部１０２，１０２（図１では左端側のみ図示）からなる。一方、商品収納室４の左右側壁を形成する断熱仕切板２，２の前縁にはガスケット３０が配設されている。このガスケット３０に係止部材４０が装着されている。
【００１９】
ここで、この実施の形態に係る断熱仕切板２は、図２に示すように、所定の厚みを有する硬質ウレタンフォームを縦長矩形状に形成した断熱パネルとして構成され、発泡断熱材２１の両側表面には、ポリエチレンシート等の面材２２が貼着してある。この断熱仕切板２の前縁部には合成樹脂製のガスケット３０が装着されている。前記ガスケット３０は硬質の合成樹脂からなる装着部３１と復元力を有する軟質の合成樹脂からなるパッキン部３２とを一体成形してなり、このガスケット３０が補強枠を構成している。前記装着部３１は断面コ字状に形成され、断熱仕切板２の前縁部を覆うように断熱仕切板２に嵌め込んで取付けられている。前記パッキン部３２は、内扉９（図４参照）の背面と当接して弾性変形することにより隣接する商品収納室間を気密に遮断する密着部として構成されている。このように、断熱仕切板２の補強枠を合成樹脂からなるガスケット３０により構成することによって、ガスケット３０を介して隣接する商品収納室間の熱リークが抑制される。
【００２０】
さて、ガスケット３０を構成する硬質の装着部３１のコ字状の脚片には係止部材４０が装着される挟持部３３が設けられている。この挟持部３３は装着部３１の脚片を凹状に切欠いてなり、上下の切り込み３３１，３３２の間に舌片３３３が開放端に向けて突出している。一方、係止部材４０は短冊状の板金製になり、縦長の基台底板４１の一方側（図２の（ｃ）では左端側）にはブリッジ状の係合部４２を備えている。この係合部４２は上下両端に脚部４３，４３を有してなり、基台底板４１との間に貫通孔４４を形成している。この貫通孔４４は前記支持梁１０のフック部１０２が貫通可能な大きさに形成されている。
【００２１】
前記係止部材４０は、次のようにしてガスケット３０に取付けられる。すなわち、図３の（ａ）に示すように、係止部材４０における係合部４２の上下脚部４３，４３をガスケット３０における挟持部３３の切り込み３３１，３３２に対峙させた状態で係止部材４０を断熱仕切板２の板面に載置し、次いで、係止部材４０を白抜き矢印方向に移動させると係止部材４０の基台底板４１がガスケット３０の装着部３１の端縁に当接する。ここで、前記基台底板４１をガスケット３０における装着部３１の下に潜り込ませた上で更に係止部材４０を白抜き矢印方向に移動させる。そして、上下脚部４３，４３を挟持部３３の切り込み３３１，３３２に嵌合させると係止部材４０のガスケット３０への装着が完了する。前記係止部材４０の上下脚部４３，４３が挟持部３３の切り込み３３１，３３２に嵌合することにより係止部材４０は上下方向の移動が規制される。
【００２２】
前記支持梁１０の本体キャビネット１（商品収納室）の左右の側壁（断熱仕切板２）の前面への取付けは従来装置と同様である。すなわち、前記支持梁１０の左右フック部１０２，１０２を係止部材４０，４０の貫通孔４４，４４に挿通してその左右フック部１０２，１０２の先端を貫通させたうえで支持梁１０を上方へスライドさせる。これにより左右フック部１０２，１０２が係止部材４０，４０と係合し、この状態で支持梁１０の基部１０１とラック固定金具６６とをねじＳにより締結する。なお、挟持部３３の舌片３３３は支持梁１０のフック１０２を係止部材４０の貫通穴４４に挿通して貫通させる際におけるフック１０２のガイドとして機能し、フック１０２が断熱仕切板２の面材２２に引っ掛かるのを防止する。
【００２３】
前述したとおり、本発明の実施の形態の自動販売機によれば、断熱筐体として形成されるとともに前面が開口した直方体状の本体キャビネット１と、本体キャビネット１の内部に画成された商品収容庫内を左右方向に複数の商品収納室３〜５に区画する断熱仕切板２と、前記商品収納室３〜５に設置された商品収納ラック６と、前記商品収納室３〜５の側壁（断熱仕切板２）に配設された係止部材４０と、この係止部材４０にフック部１０２が係合した状態で商品収納ラック６の前面側の最下端部に設けたラック固定金具６６に対向して商品収納室３〜５の前面側に位置し、前記ラック固定金具６６とねじ締結される支持梁１０とを備えた自動販売機において、前記断熱仕切板２は縦長矩形状に形成された硬質ウレタンフォームの断熱パネルからなり、当該断熱仕切板２の前縁部に嵌め込まれる装着部３１を有する硬質の合成樹脂からなる補強部材（ガスケット３０）を備え、前記係止部材４０は前記支持梁１０のフック部１０２が挿通される貫通孔４４を形成するブリッジ状の係合部４２を備え、前記補強部材（ガスケット３０）の装着部３１に前記係止部材４０を挟持して当該係止部材４０を補強部材（ガスケット３０）の装着部３１に固定する挟持部３３を形成してなることにより、補強部材（ガスケット３０）は係止部材４０をねじ固定するのではなく挟持するものであることから肉厚を厚くする必要がなく、さらに補強部材（ガスケット３０）に重畳することなく取付けることが可能であるので、係止部材４０の商品収納室内への突出量を従前のものと同等に抑えることができ、また、ねじ止め作業をなくすことにより係止部材４０の取付け作業性が向上し、さらに補強部材（ガスケット３０）が合成樹脂であるので隣接する商品収納室間の熱リークを押えることができるものである。
【００２４】
なお、前述した実施の形態の自動販売機においてはガスケット３０が硬質の合成樹脂からなる装着部３１と復元力を有する軟質の合成樹脂からなるパッキン部３２とを一体成形したものについて説明したが、硬質の装着部３１とパッキン部３２とを別個に形成したうえで両者を結合させてもよいものである。
【符号の説明】
【００２５】
１…本体キャビネット、２…断熱仕切板、３，４，５…商品収納室、６…商品収納ラック、８…外扉、９…内扉、１０…支持梁、３０…ガスケット（補強枠）、３１…装着部、３２…パッキン部、３３…挟持部、４０…係止部材。 
【図１】
0005633683.tif 000002
【図２】
0005633683.tif 000003
【図３】
0005633683.tif 000004
【図４】
0005633683.tif 000005
【図５】
0005633683.tif 000006
【図６】
0005633683.tif 000007